(57)【特許請求の範囲】
【請求項１】
相手側の交換機に対して送出しようとする入力データから、付加サービスを実現させるコマンドからなる制御信号が添付された共通線信号方式送信データを検出する共通線信号方式送信データ検出手段と、
各種コマンドと拡張可能マークアップ言語を対応付けたコマンド対応データベースと、
このコマンド対応データベースを検索して、前記共通線信号方式送信データ検出手段によって検出された前記制御信号の前記コマンドを対応する拡張可能マークアップ言語に変換する制御信号変換手段と、
この制御信号変換手段によって変換された制御信号を共通線信号方式送信データに添付する制御信号添付手段と、
この制御信号添付手段によって制御信号を添付された共通線信号方式送信データを共通線信号方式で前記相手側の交換機に送信する送信手段と、
共通線信号方式送信データを受信する受信手段と、
この受信手段によって受信した共通線信号方式送信データから前記拡張可能マークアップ言語で記述された制御信号を分離する制御信号分離手段と、
この制御信号分離手段で分離した拡張可能マークアップ言語で記述された制御信号を自交換機側の解釈可能な拡張可能マークアップ言語で記述された制御信号に変換する制御信号変換手段と、
前記コマンド対応データベースを検索して、前記制御信号変換手段によって変換された制御信号の前記拡張可能マークアップ言語を対応するコマンドに変換することで自交換機用の制御信号とするコマンド変換手段
とを具備することを特徴とする交換機間制御信号伝送システム。
【請求項２】
前記拡張可能マークアップ言語はＸＭＬ言語であることを特徴とする請求項１記載の交換機間制御信号伝送システム。
【請求項３】
拡張可能マークアップ言語で記述された所定の制御信号における自交換機用のタグの定義を格納しておくタグ定義格納手段を備え、前記タグの定義はスタイルシートによって行われることを特徴とする請求項２記載の交換機間制御信号伝送システム。
【請求項４】
特定の名前の集合体と前記スタイルシートの種類を対応付けたスタイルシート対応データベースと、受信した制御信号を記述した拡張可能マークアップ言語中の前記特定の名前の集合体を判別する名前判別手段と、この名前判別手段によって判別された特定の名前に対応するスタイルシートを前記スタイルシート対応データベースから検索するスタイルシート検索手段と、このスタイルシート検索手段によって検索されたスタイルシートを用いてタグの定義を検索するタグ定義検索手段とを具備することを特徴とする請求項３記載の交換機間制御信号伝送システム。
【請求項５】
前記特定の名前の集合体はＸＭＬ文書の中でエレメント型やアトリビュート名として使われる名前の集合体としてのネームスペースであることを特徴とする請求項４記載の交換機間制御信号伝送システム。
【請求項６】
相手側の交換機に対して送出しようとする入力データから、付加サービスを実現させるコマンドからなる制御信号が添付された共通線信号方式送信データを検出する共通線信号方式送信データ検出ステップと、
各種コマンドと拡張可能マークアップ言語を対応付けたコマンド対応データベースを検索して、前記共通線信号方式送信データ検出ステップによって検出された前記制御信号の前記コマンドを対応する拡張可能マークアップ言語に変換する制御信号変換ステップと、
この制御信号変換ステップによって変換された制御信号を共通線信号方式送信データに添付する制御信号添付ステップと、
この制御信号添付ステップによって制御信号を添付された共通線信号方式送信データを共通線信号方式で前記相手側の交換機に送信する送信ステップと、
共通線信号方式送信データを受信する受信ステップと、
この受信ステップによって受信した共通線信号方式送信データから前記拡張可能マークアップ言語で記述された制御信号を分離する制御信号分離ステップと、
この制御信号分離ステップで分離した拡張可能マークアップ言語で記述された制御信号を自交換機側の解釈可能な拡張可能マークアップ言語で記述された制御信号に変換する制御信号変換ステップと、
前記コマンド対応データベースを検索して、前記制御信号変換ステップによって変換された制御信号の前記拡張可能マークアップ言語を対応するコマンドに変換することで自交換機用の制御信号とするコマンド変換ステップ
とを具備することを特徴とする交換機間制御信号伝送方法。
【発明の詳細な説明】
【０００１】
【発明の属する技術分野】
本発明は交換機間で制御信号を伝送するための交換機間制御信号伝送システムおよび交換機間制御信号伝送方法に関する。
【０００２】
【従来の技術】
共通線信号方式では、電話交換機を制御する制御信号を、ユーザー情報向け回線とは別の回線で伝送するようにしている。このような制御信号は、加入者線交換機や網の中にある中継交換機等の交換機と交換機の間で送受信されており、主として呼の設定や開放等の呼制御に使用されている。また、共通線信号方式は、通信サービス処理にかかわる交換機等の扱うサービス処理用のデータとしてのサービス処理メッセージの転送等にも使用されている。
【０００３】
ところで交換機の種類が異なったり、その製造メーカが異なると、それぞれの装置が扱う制御信号は異なるデータベース制御方式に沿って作成される可能性がある。このため、これら異機種間あるいは異なるメーカ間で共通線信号方式によるサービスを共用しようとしても、現在では非常に基本的な呼処理しかこれらの間で共用することができない。このため、たとえば、特殊な内線サービスを異機種間あるいは異なるメーカ間で実現しようとしても、制御信号がこれらの間で異なっており、共通線信号方式によるサービスを共有することができない。
【０００４】
このような異機種間あるいは異なるメーカ間での制御信号の交換の不便さは他の装置においても存在し、その対策が行われている。たとえば特開平２０００−１２２９５２号公報では、情報出力装置が装置の各種情報を取得して外部に出力するときの出力態様を工夫している。この装置では出力する情報を第１形式と第２形式の２種類の形式で記述して出力する。第１形式はたとえばＨＴＭＬ（Hyper Text Markup Language）形式であり、第２形式はたとえばＸＭＬ（Extensible
Markup Language）形式である。
【０００５】
ＨＴＭＬはＷＷＷ（world wide web）の文書記述言語であり、ＸＭＬはワールド・ワイド・ウェブ・コンソーシアム（World Wide Web Consortium（Ｗ３Ｃ））によって開発された拡張可能マークアップ言語である。これら２種類の言語を併せて作成して出力したり、あるいはこれらのうちの一方を選択して出力することで、大多数の情報出力装置がこれらの内容を受信してデータ処理を行うことが可能になる。
【０００６】
特に、ＸＭＬは、あらかじめタグが定義されているＨＴＭＬと異なり、ユーザが独自のタグを定義してデータ形式を自由に拡張することができる。したがって、ＸＭＬの場合には、タグの構造によりコンピュータが自動的にデータの内容を分析することが可能になるので、各種システムを構築しやすくなる。
【０００７】
図５は、この提案による情報処理の流れの概要を表わしたものである。まず、情報を取得し（ステップＳ１０１）、その出力形式としてＨＴＭＬ形式が設定されているかどうかを判別する（ステップＳ１０２）。ＨＴＭＬ形式が設定されている場合には（Ｙ）、その情報をＨＴＭＬ形式で生成する（ステップＳ１０３）。次に出力形式としてＸＭＬ形式が設定されているかどうかを判別する（ステップＳ１０４）。ステップＳ１０２で出力形式としてＨＴＭＬ形式が設定されていなかった場合にも（Ｎ）、このステップＳ１０４に進む。
【０００８】
ステップＳ１０４でＸＭＬ形式が設定されていると判別された場合には（Ｙ）、その情報をＸＭＬ形式で生成する（ステップＳ１０５）。ステップＳ１０４でＸＭＬ形式が設定されていなかった場合には（Ｎ）、ステップＳ１０５の処理が省略される。以上の処理が終了したら、ステップＳ１０６として生成した情報を用いて取得した情報の送信が行われる。
【０００９】
【発明が解決しようとする課題】
しかしながら、従来のこの特開平２０００−１２２９５２号公報に記載されている技術では、単純に通信相手に合わせて情報をＨＴＭＬ形式あるいはＸＭＬ形式に変換するだけである。ここでＨＴＭＬ形式への変換は取得した情報を送信先の装置で出力態様を表現する際に用いられ、ＸＭＬ形式への変換は送信先の装置でデータ処理を可能にする記述内容を表現する際に用いられるようになっている。ＸＭＬ形式にデータ変換を行うのみでは、このデータの活用に限界があり、各交換機独自の制御に利用しにくいという問題があった。
【００１０】
そこで本発明の目的は、それぞれの交換機が自交換機の制御に活用しやすい制御信号を得ることのできる交換機間制御信号伝送システムおよび交換機間制御信号伝送方法を提供することにある。
【００１１】
【課題を解決するための手段】
請求項１記載の発明では、（イ）手側の交換機に対して送出しようとする入力データから、付加サービスを実現させるコマンドからなる制御信号が添付された共通線信号方式送信データを検出する共通線信号方式送信データ検出手段と、（ロ）各種コマンドと拡張可能マークアップ言語を対応付けたコマンド対応データベースと、（ハ）このコマンド対応データベースを検索して、共通線信号方式送信データ検出手段によって検出された制御信号のコマンドを対応する拡張可能マークアップ言語に変換する制御信号変換手段と、（ニ）この制御信号変換手段によって変換された制御信号を共通線信号方式送信データに添付する制御信号添付手段と、（ホ）この制御信号添付手段によって制御信号を添付された共通線信号方式送信データを共通線信号方式で相手側の交換機に送信する送信手段と、（へ）共通線信号方式送信データを受信する受信手段と、（ト）この受信手段によって受信した共通線信号方式送信データから拡張可能マークアップ言語で記述された制御信号を分離する制御信号分離手段と、（チ）この制御信号分離手段で分離した拡張可能マークアップ言語で記述された制御信号を自交換機側の解釈可能な拡張可能マークアップ言語で記述された制御信号に変換する制御信号変換手段と、（リ）コマンド対応データベースを検索して、制御信号変換手段によって変換された制御信号の拡張可能マークアップ言語を対応するコマンドに変換することで自交換機用の制御信号とするコマンド変換手段とを交換機間制御信号伝送システムに具備させる。
【００１２】
すなわち請求項１記載の発明では、交換機同士で拡張可能マークアップ言語で記述された所定の制御信号を共通線信号方式を用いて伝送する。他の交換機から制御信号が送られてきたときには、拡張可能マークアップ言語で記述された制御信号を自交換機側の解釈可能な拡張可能マークアップ言語で記述された制御信号に変換し、更に変換後の拡張可能マークアップ言語を対応するコマンドに変換することで自交換機用の制御信号に変換する。したがって、交換機の種類が異なって制御信号が相違する場合でも、自交換機用の制御信号に変換することができ、送信元の交換機に特別に負担を掛けることなく自交換機の制御が可能になる。
【００１３】
請求項２記載の発明では、請求項１記載の交換機間制御信号伝送システムで、拡張可能マークアップ言語はＸＭＬ言語であることを特徴としている。
【００１４】
すなわち請求項２記載の発明では、一例として拡張可能マークアップ言語としてＸＭＬ言語を使用することを示している。
【００１５】
請求項３記載の発明では、請求項２記載の交換機間制御信号伝送システムは、拡張可能マークアップ言語で記述された所定の制御信号における自交換機用のタグの定義を格納しておくタグ定義格納手段を備え、タグの定義はスタイルシートによって行われることを特徴としている。
【００１６】
すなわち請求項３記載の発明では、タグの定義はスタイルシートによって行われることを特徴としている。
【００１７】
請求項４記載の発明では、請求項３記載の交換機間制御信号伝送システムは、特定の名前の集合体とスタイルシートの種類を対応付けたスタイルシート対応データベースと、受信した制御信号を記述した拡張可能マークアップ言語中の前記した特定の名前の集合体を判別する名前判別手段と、この名前判別手段によって判別された特定の名前に対応するスタイルシートをスタイルシート対応データベースから検索するスタイルシート検索手段と、このスタイルシート検索手段によって検索されたスタイルシートを用いてタグの定義を検索するタグ定義検索手段とを具備することを特徴としている。
【００１８】
すなわち請求項４記載の発明では、スタイルシートを特定するために特定の名前の集合体を使用することにしている。これらはスタイルシート対応データベースによって対応付けられる。したがって、名前判別手段によって、受信した制御信号を記述した拡張可能マークアップ言語中の特定の名前の集合体を判別し、スタイルシート検索手段によって判別された特定の名前に対応するスタイルシートをスタイルシート対応データベースから検索し、検索されたスタイルシートを用いてタグの定義を検索することになる。このように特定の名前の集合体という概念を導入することによって、同じタグであってもその意味を独自に特定することができるようになる。
【００１９】
請求項５記載の発明では、請求項４記載の交換機間制御信号伝送システムで、前記した特定の名前の集合体はＸＭＬ文書の中でエレメント型やアトリビュート名として使われる名前の集合体としてのネームスペースであることを特徴としている。
【００２０】
すなわち請求項５記載の発明では、特定の名前の集合体が一例としてネームスペースであることを示している。
【００２１】
請求項６記載の発明では、（イ）相手側の交換機に対して送出しようとする入力データから、付加サービスを実現させるコマンドからなる制御信号が添付された共通線信号方式送信データを検出する共通線信号方式送信データ検出ステップと、（ロ）各種コマンドと拡張可能マークアップ言語を対応付けたコマンド対応データベースを検索して、共通線信号方式送信データ検出ステップによって検出された制御信号のコマンドを対応する拡張可能マークアップ言語に変換する制御信号変換ステップと、（ハ）この制御信号変換ステップによって変換された制御信号を共通線信号方式送信データに添付する制御信号添付ステップと、（ニ）この制御信号添付ステップによって制御信号を添付された共通線信号方式送信データを共通線信号方式で相手側の交換機に送信する送信ステップと、（ホ）共通線信号方式送信データを受信する受信ステップと、（へ）この受信ステップによって受信した共通線信号方式送信データから拡張可能マークアップ言語で記述された制御信号を分離する制御信号分離ステップと、（ト）この制御信号分離ステップで分離した拡張可能マークアップ言語で記述された制御信号を自交換機側の解釈可能な拡張可能マークアップ言語で記述された制御信号に変換する制御信号変換ステップと、（チ）コマンド対応データベースを検索して、制御信号変換ステップによって変換された制御信号の拡張可能マークアップ言語を対応するコマンドに変換することで自交換機用の制御信号とするコマンド変換ステップとを交換機間制御信号伝送方法に具備させる。
【００２２】
すなわち請求項６記載の発明では、請求項１記載の発明と同様の交換機間の制御信号伝送方法を示している。
【００２３】
【発明の実施の形態】
【００２４】
【実施例】
以下実施例につき本発明を詳細に説明する。
【００２５】
図１は本発明の一実施例における交換機間制御信号伝送システムの構成の概要を表わしたものである。この交換機間制御信号伝送システムは、サービスデータのコマンドを送出する側の交換機としての送信側交換機２０１と、このコマンドを受信する側の受信側交換機２０２によって構成されている。
【００２６】
送信側交換機２０１はＸＭＬ（Extensible Markup Language：拡張可能マークアップ言語）データ生成部２０３と、このＸＭＬデータ生成部２０３で生成されたＸＭＬサービスデータ２０４を共通線信号方式送信データに添付する送信データ組立部２０５と、共通線信号方式送信データ２０６を共通線信号方式で送信する共通線信号方式信号送信部２０８を備えている。ここで、ＸＭＬデータ生成部２０３は、入力データ２１１から共通線信号方式送受信データを検出するサービス検出部２１２と、サービス検出部２１２によって検出された共通線信号方式送受信データ２１３を入力する送信データ制御部２１４と、各種のコマンドベースサービスデータとＸＭＬサービスデータを対応付けたコマンドＸＭＬデータベース２１５とによって構成されている。
【００２７】
すなわち、送信側交換機２０１ではＸＭＬデータ生成部２０３内のサービス検出部２１２が入力データ２１１から共通線信号方式送受信データを検出するようになっている。入力データ２１１として、付加サービスを実現するためのコマンドベースサービスデータが添付された共通線信号方式送受信データ２１３が検出されたら、サービス検出部２１２はこれを送信データ制御部２１４に送る。送信データ制御部２１４は共通線信号方式送受信データ２１３を入力するとこれに添付されたコマンドベースサービスデータ２１６をコマンドＸＭＬデータベース２１５に送り、対応するＸＭＬサービスデータ２０４を受け取るようになっている。このようにコマンドＸＭＬデータベース２１５がコマンドベースの各種のサービスデータをＸＭＬサービスデータ２０４に変換する。
【００２８】
このようにしてＸＭＬデータ生成部２０３から出力されるＸＭＬサービスデータ２０４は、送信データ組立部２０５に入力される。送信データ組立部２０５では、共通線信号方式の規約に従って、ＸＭＬサービスデータ２０４を共通線信号方式送信データに添付する。この添付された共通線信号方式送信データ２０６は共通線信号方式信号送信部２０８に送られる。共通線信号方式信号送信部２０８は共通線信号方式の規約に従って共通線信号方式送信データ２１８を受信側交換機２０２に送信することになる。
【００２９】
受信側交換機２０２は、この共通線信号方式送信データ２１８を受信する共通線信号方式信号受信部２２１と、受信データ２２２を分解する受信データ分解部２２３と、分解されたＸＭＬサービスデータ２２４を格納する受信データバッファ２２５と、受信データバッファ２２５から出力されるＸＭＬサービスデータ２２６を解析するＸＭＬデータ解析部２２７を備えている。
【００３０】
ＸＭＬデータ解析部２２７は、受信データとしてのＸＭＬサービスデータ２２６を入力して各種制御を行う受信データ制御部２２８を備えている。受信データ制御部２２８は、ネームスペースとスタイルシートの対応関係を示したネームスペーススタイルシートデータベース２２９、ネームスペース判別部２３０、ＸＳＬＴ（XSL Transformation）変換部２３１およびコマンドベースサービスデータとＸＭＬサービスデータの対応関係を示したコマンドＸＭＬデータベース２３２と接続されている。
【００３１】
受信側交換機２０２では、共通線信号方式信号受信部２２１が送信側交換機２０１から送られてきた共通線信号方式送信データ２１８を受信し、受信データ２２２を受信データ分解部２２３に送る。受信データ分解部２２３では共通線信号方式送信データ２１８に添付されてきたＸＭＬサービスデータを分解する。分解されたＸＭＬサービスデータ２２４は受信データバッファ２２５に入力されて保持されることになる。
【００３２】
受信データ制御部２２８はこの受信データバッファ２２５からＸＭＬサービスデータ２２６を読み出してネームスペース判別部２３０に送出する。ネームスペース判別部２３０ではこれを基にしてネームスペースを特定する。ここでネームスペースとは、ＵＲＩ（Uniform Resource Identifiers）参照によって特定され、ＸＭＬ文書の中でエレメント型やアトリビュート名として使われる名前の集合体である。次に受信データ制御部２２８は特定されたネームスペースを用いてネームスペーススタイルシートデータベース２２９を照合して、変換に必要なスタイルシートデータを受け取る。
【００３３】
次に受信データ制御部２２８は照合されたスタイルシートデータと受信データバッファ２２５内のＸＭＬサービスデータ２２６とをＸＳＬＴ変換部２３１に送出する。ＸＳＬＴ変換部２３１は入力されたＸＭＬサービスデータ２２６をスタイルシートによって異なる構造を有するＸＭＬサービスデータに変換する機能を有している。ＸＳＬＴ変換部２３１は送られてきたＸＭＬサービスデータ２２６を自交換機としての受信側交換機２０２で解釈可能なＸＭＬサービスデータに変換する。受信データ制御部２２８はこの変換された自交換機用のＸＭＬサービスデータをコマンドＸＭＬデータベース２３２に送って照合し、対応するコマンドベースサービスデータを取得する。受信データ制御部２２８は、出力したコマンドベースサービスデータ２３４を出力することになる。
【００３４】
図２はこの交換機間制御信号伝送システムでの状態遷移の様子を示したものである。図１と共に状態遷移を説明する。図１に示した送信側交換機２０１内のサービス検出部２１２は、初期的に状態遷移「サービス待機」３０１の状態にある。所定の時点でサービスのセットアップが行われると（ステップＳ４０１）、サービス検出部２１２は送信データ制御部２１４に入力データ２１１、すなわちコマンドベースのサービスデータ（共通線信号方式送受信データ２１３）を渡す（ステップＳ４０２）。
【００３５】
送信データ制御部２１４はこのコマンドベースのサービスデータ（共通線信号方式送受信データ２１３）をコマンドＸＭＬデータベース２１５と照合して、次の状態遷移「コマンドＸＭＬ変換」３０２に移行する。これによりＸＭＬサービスデータ２０４が入手される。送信データ制御部２１４は受け取ったＸＭＬサービスデータ２０４を送信データ組立部２０５に渡す（ステップＳ４０３）。
【００３６】
次に状態遷移「共通線信号方式送信側信号処理」３０３および状態遷移「共通線信号方式受信側信号処理」３０４に移行する。具体的には送信側交換機２０１から共通線信号方式送信データ２１８についての発信処理が行われ（ステップＳ４０４）、受信側交換機２０２がこれに対して受信・応答処理を行う（ステップＳ４０５）。発信処理では、送信データ組立部２０５がＸＭＬサービスデータ２０４を共通線信号方式送信データに添付し、共通線信号方式信号送信部２０８が共通線信号方式の規約に従って共通線信号方式送信データ２１８を受信側交換機２０２に送信する。受信側交換機２０２は共通線信号方式信号受信部２２１で共通線信号方式送信データ２１８を受信し、受信データ分解部２２３で共通線信号方式の規約に従って受信データを分解することになる。
【００３７】
分解したデータにＸＭＬサービスデータ２２４が含まれている場合には、次の状態遷移「サービス待機」３０５に対してサービスセットアップが行われる（ステップＳ４０６）。サービスセットアップを受けた状態遷移「サービス待機」３０５は、サービスを受信すると（ステップＳ４０７）、状態遷移「ＸＭＬ解析」３０６に移行する。
【００３８】
受信データ分解部２２３で分解されたＸＭＬサービスデータ２２４は受信データバッファ２２５内に保持される。受信データ制御部２２８は、このＸＭＬサービスデータ２２６を受け取ってネームスペース判別部２３０に渡し、ＸＭＬサービスデータのネームスペースを特定する。ＸＭＬ解析３０６によって特定したネームスペースが自交換機としての受信側交換機２０２のネームスペース（Original Namespace）と同じものであれば、受信データ制御部２２８は、コマンドＸＭＬデータベース２３２にこのＸＭＬサービスデータを渡し（ステップＳ４０８）、次の状態遷移「ＸＭＬコマンド変換」３０７において対応するコマンドベースサービスデータを取得する。変換サービスが終了したら（ステップＳ４０９）、次の状態遷移「サービス処理」３０８でサービスデータを出力する（ステップＳ４１０）。そして、状態遷移「サービス待機」３０５で次のサービスを待機することになる。
【００３９】
一方、状態遷移「ＸＭＬ解析」３０６で特定したネームスペースが自交換機としての受信側交換機２０２のネームスペース以外のネームスペース（Other Namespace）である場合（ステップＳ４１１）、受信データ制御部２２８は、ネームスペース判別部２３０で特定されたネームスペースに対応するスタイルシートをネームスペーススタイルシートデータベース２２９で照合して受け取る。このスタイルシートは次の状態遷移「ＸＳＬＴ変換」３０９を行う際に必要なデータである。
【００４０】
そしてこのスタイルシートとＸＭＬサービスデータをＸＳＬＴ変換部２３１に渡して状態遷移「ＸＳＬＴ変換」３０９を行う。これは、ＸＭＬデータとスタイルシートにより自動変換される機能であり、Ｗ３Ｃ（world wide web consortium）が規定するパーサ機能である。状態遷移「ＸＳＬＴ変換」３０９が終了すると（ステップＳ４１２）、受信データ制御部２２８は変換が終了したＸＭＬサービスデータが自交換機で解釈可能となっているので、これをコマンドＸＭＬデータベース２３２に送って照合し、コマンドベースのサービスデータを受け取ることになる。受信データ制御部２２８は次の状態遷移「サービス処理」３０８でサービスデータを出力し（ステップＳ４１０）、状態遷移「サービス待機」３０５でサービスを待機することになる。
【００４１】
図３はタグを用いて記述された所定のＸＭＬサービスデータの一部を示したものである。これを用いてＸＭＬサービスデータ５０１を図１に示した受信側交換機２０２で自交換機用のＸＭＬサービスデータに変換する例を説明する。図３に示したＸＭＬサービスデータ５０１で記号“＜”および“＞”で囲んだ箇所がタグである。
【００４２】
受信側交換機２０２では、「情報」を「受信」に、「その１」を「１番」に、「その２」を「１番」の配下の「ｔｅｍｐ」に、「その３」を「２番」にそれぞれ変換するスタイルシートを持っているものとする。
【００４３】
図４は、この場合の変換後のＸＭＬサービスデータを示したものである。受信側交換機２０２でこのＸＭＬサービスデータ５０２を自動変換することで、自交換機で制御可能な制御信号が得られることになる。送信側および受信側で互いにスタイルシートを定義することで、このようにお互いの情報を自由に相互変換することが可能になる。
【００４４】
以上説明した実施例ではＸＭＬをサービスデータに使用する場合について説明したが、交換機間の通信制御に使用されるデータの種類はこれに限定されるものではない。たとえば一般的な制御情報や障害情報等のその他の情報についても交換機間で交換したり共有することが可能である。
【００４５】
【発明の効果】
以上説明したように請求項１〜請求項６記載の発明によれば、拡張可能マークアップ言語で記述された所定の制御信号を交換機間で送受信すると共に、受信した制御信号を自交換機用の制御信号に解読することにしたので、交換機の種類が異なって制御信号が相違する場合でも、各交換機が独自の企画によって自交換機の制御を行うことが可能になる。
【００４６】
また請求項４記載の発明によれば、同じタグであってもその意味を独自に特定することが可能になり、同一のタグが他の定義に誤って解釈される危険性を回避することができる。
【図面の簡単な説明】
【図１】本発明の一実施例における交換機間制御信号伝送システムの構成の概要を表わしたシステム構成図である。
【図２】本実施例の交換機間制御信号伝送システムでの状態遷移の様子を示した説明図である。
【図３】タグを用いて記述された所定のＸＭＬサービスデータの一部を示した説明図である。
【図４】図３に示したＸＭＬサービスデータをスタイルシートで変換した後のＸＭＬサービスデータを示した説明図である。
【図５】従来提案された情報処理の流れの概要を表わした流れ図である。
【符号の説明】
２０１  送信側交換機
２０２  受信側交換機
２０３  ＸＭＬデータ生成部
２０５  送信データ組立部
２０８  共通線信号方式信号送信部
２１２  サービス検出部
２１４  送信データ制御部
２１５  コマンドＸＭＬデータベース
２２１  共通線信号方式信号受信部
２２３  受信データ分解部
２２７  ＸＭＬデータ解析部
２２８  受信データ制御部
２２９  ネームスペーススタイルシートデータベース
２３０  ネームスペース判別部
２３１  ＸＳＬＴ変換部
２３２  コマンドＸＭＬデータベース
【図１】
0003700589.tif 000002
【図２】
0003700589.tif 000003
【図３】
0003700589.tif 000004
【図４】
0003700589.tif 000005
【図５】
0003700589.tif 000006